(57)【要約】【課題】高品質な音声出力を行いながら、不必要な音声出力を抑えることにより消費電力量を抑え各種部材の長寿化を図ることのできるテレビジョン受像機を提供する。【解決手段】内部スピーカ１１と、コアキシャル端子１４と、コアキシャル端子１４の出力レベルを検出する出力レベル検出回路１８と、出力レベル検出回路１８による検出結果に基づいてコアキシャル端子１４に外部機器が接続されたか否かを判断するＴＶマイコン４と、コアキシャル端子１４に外部機器が接続された旨を表示する表示部２６と、内部スピーカ１１からの出力にミュートをかけるか否かの設定を行う入力操作部８と、ＴＶマイコン４コアキシャル端子１４に外部機器が接続されたと判断したとき又は入力操作部８によって内部スピーカ１１からの出力にミュートをかける旨の設定がされたときに内部スピーカ１１からの音声出力にミュートをかける音声ミュート回路１９とを備えた。【選択図】図１
2006217117.tif 000002
【特許請求の範囲】
【請求項１】
音声を出力する内部スピーカと、
外部機器と接続されデジタル音声出力を行うコアキシャル端子と、
前記コアキシャル端子の出力レベルを検出する出力レベル検出回路と、
前記出力レベル検出回路による検出結果に基づいて前記コアキシャル端子に外部機器が接続されたか否かを判断するマイクロコンピュータと、
前記マイクロコンピュータが前記コアキシャル端子に外部機器が接続されたと判断したときにその旨を表示する表示部と、
前記内部スピーカからの出力にミュートをかけるか否かの設定を行う設定手段と、
前記マイクロコンピュータが前記コアキシャル端子に外部機器が接続されたと判断したとき又は前記設定手段によって前記内部スピーカからの出力にミュートをかける旨の設定がされたときに前記内部スピーカからの音声出力にミュートをかける音声ミュート回路とを備えたことを特徴とするテレビジョン受像機。
【請求項２】
音声を出力する内部スピーカと、
外部機器と接続されデジタル音声出力を行うデジタル端子とを有し、
前記デジタル端子に外部機器が接続されているか否かを検知する接続検知手段と、
前記接続検知手段によって前記デジタル端子に外部機器が接続されていると検知されたときに前記内部スピーカからの音声出力にミュートをかける音声ミュート回路とを備えたことを特徴とするテレビジョン受像機。
【請求項３】
音声を出力する内部スピーカと、
外部機器と接続されデジタル音声出力を行うデジタル端子とを有し、
前記デジタル端子に外部機器が接続されているか否かを検知する接続検知手段と、
前記接続検知手段が、前記デジタル端子に外部機器が接続されていることを検知したときに、その旨を報知する報知手段と、
前記内部スピーカからの出力にミュートをかけるか否かの設定を行う設定手段と、
前記設定手段により前記スピーカからの出力にミュートをかけるとの設定がなされたときに前記内部スピーカからの出力を制御してミュートをかける音声ミュート回路とを備えたことを特徴とするテレビジョン受像機。
【請求項４】
前記接続検知手段は、
前記デジタル端子の出力レベルを検出する出力レベル検出回路と、
前記出力レベル検出回路が、前記デジタル端子の出力レベルが外部機器の接続されていないときの出力レベルの２分の１以下であることを検出したときに、前記デジタル端子に外部機器が接続されたと判断するマイクロコンピュータとから構成されることを特徴とする請求項２又は請求項３に記載のテレビジョン受像機。
【請求項５】
前記報知手段は、
前記デジタル端子に外部機器が接続されたと判断したときにその旨を表示する表示部であることを特徴とする請求項３又は請求項４に記載のテレビジョン受像機。
【請求項６】
前記デジタル端子は、
コアキシャル端子であることを特徴とする請求項２から請求項５のいずれか一項に記載のテレビジョン受像機。
【発明の詳細な説明】
【技術分野】
【０００１】
本発明は、テレビジョン受像機に係り、特に、複数の音声出力手段を備えるテレビジョン受像機に関するものである。
【背景技術】
【０００２】
一般にテレビジョン受像機においては、装置内部に内蔵される内部スピーカの他に、外部機器と接続される単数又は複数のアナログ入出力端子、デジタル入出力端子等、複数の音声出力手段を備えるものが知られている。このうち、デジタル端子としては、光によって信号の送受信を行うオプティカル（ＯＰＴＩＣＡＬ）方式のものと、１本のケーブルで複数のチャンネル信号を送受信することのできるコアキシャル（ＣＯＡＸＩＡＬ）端子等を用いた同軸端子方式のものとがある。
【０００３】
また、近年は、テレビジョン受像機にＤＶＤプレーヤやビデオテープ再生装置、その他種々の再生機器を一体に内蔵したものが提案されており、これらのうちいずれを再生、放送するかを画面に表示させる等によりユーザに対して報知する機能を備えたものも知られている（例えば、特許文献１参照）。
【０００４】
このようにテレビ放送の送受信以外に種々の再生機器による再生を可能とした場合には、一層高品質の音声出力を行うことが求められる。このため、複数のチャンネル信号を送受信することのできるデジタル端子を備える必要性が高くなっており、最近では２ｃｈのステレオ音声の他、５．１ｃｈのサラウンド音声を出力することのできるものとしてこのようなデジタル端子を備えるテレビジョン受像機が数多く提供されている。
【０００５】
そして、従来、このようなデジタル端子を備えるテレビジョン受像機では、デジタル端子に外部機器が接続されている場合にも、内部スピーカ等、他の音声出力手段に対する出力はこれと関わりなく継続されているのが一般であった。
【特許文献１】特開平５−１６１０８４号公報
【発明の開示】
【発明が解決しようとする課題】
【０００６】
しかしながら、デジタル端子を介して接続された外部機器から５．１ｃｈのサラウンド音声等の臨場感あるクリアな音声を出力させているときには、内部スピーカ等の他の音声出力手段から出力される音声は不必要であり、また、このように不必要な音声出力を行うことは、テレビジョン受像機の消費電力量を増大させる。さらに、不必要な音声出力を行うことはアンプ等各種部材の寿命を短縮させ、不経済であるとの問題もある。
【０００７】
そこで、本発明は上記した点を鑑みてなされたものであり、高品質な音声出力を行いながら、不必要な音声出力を抑えることにより消費電力量を抑え各種部材の長寿化を図ることのできるテレビジョン受像機を提供するものである。
【課題を解決するための手段】
【０００８】
前記課題を解決するため、請求項１に記載の発明に係るテレビジョン受像機は、音声を出力する内部スピーカと、
外部機器と接続されデジタル音声出力を行うコアキシャル端子と、
前記コアキシャル端子の出力レベルを検出する出力レベル検出回路と、
前記出力レベル検出回路による検出結果に基づいて前記コアキシャル端子に外部機器が接続されたか否かを判断するマイクロコンピュータと、
前記マイクロコンピュータが前記コアキシャル端子に外部機器が接続されたと判断したときにその旨を表示する表示部と、
前記内部スピーカからの出力にミュートをかけるか否かの設定を行う設定手段と、
前記マイクロコンピュータが前記コアキシャル端子に外部機器が接続されたと判断したとき又は前記設定手段によって前記内部スピーカからの出力にミュートをかける旨の設定がされたときに前記内部スピーカからの音声出力にミュートをかける音声ミュート回路とを備えたことを特徴とする。
【０００９】
請求項１に記載の発明によれば、出力レベル検出回路によって検出された結果に基づいてマイクロコンピュータがコアキシャル端子に外部機器が接続されたと判断すると、その旨が表示部に表示される。ユーザは、設定手段によって内部スピーカからの出力にミュートをかけるか否かの設定を行うことができるようになっており、マイクロコンピュータがコアキシャル端子に外部機器が接続されたと判断したとき又は設定手段によって内部スピーカからの出力にミュートをかける旨の設定がされたときに、音声ミュート回路によって内部スピーカからの音声出力にミュートをかけるようになっている。
【００１０】
請求項２に記載の発明は、音声を出力する内部スピーカと、
外部機器と接続されデジタル音声出力を行うデジタル端子と、
前記デジタル端子に外部機器が接続されているか否かを検知する接続検知手段と、
前記接続検知手段によって前記デジタル端子に外部機器が接続されていると検知されたときに前記内部スピーカからの音声出力にミュートをかける音声ミュート回路とを備えたことを特徴とする。
【００１１】
請求項２に記載の発明によれば、接続検知手段によってデジタル端子に外部機器が接続されていると検知されたときに、音声ミュート回路によって内部スピーカからの音声出力にミュートをかけるようになっている。
【００１２】
請求項３に記載の発明は、音声を出力する内部スピーカと、
外部機器と接続されデジタル音声出力を行うデジタル端子と、
前記デジタル端子に外部機器が接続されているか否かを検知する接続検知手段と、
前記接続検知手段が、前記デジタル端子に外部機器が接続されていることを検知したときに、その旨を報知する報知手段と、
前記内部スピーカからの出力にミュートをかけるか否かの設定を行う設定手段と、
前記設定手段により前記スピーカからの出力にミュートをかけるとの設定がなされたときに前記内部スピーカからの出力を制御してミュートをかける音声ミュート回路とを備えたことを特徴とする。
【００１３】
請求項３に記載の発明によれば、接続検知手段によってデジタル端子に外部機器が接続されているか否かを検知し、報知手段によってその旨を報知させるようになっており、報知によりユーザがデジタル端子に外部機器が接続されたことを認識して、設定手段により内部スピーカからの出力にミュートをかけるか否かの設定を行うようになっている。そして、ユーザが設定手段によりスピーカからの音声出力にミュートをかけるとの設定を行った場合には、音声ミュート回路によって内部スピーカからの音声出力にミュートをかけるようになっている。
【００１４】
請求項４に記載の発明は、請求項２又は請求項３に記載のテレビジョン受像機において、前記接続検知手段は、
前記デジタル端子の出力レベルを検出する出力レベル検出回路と、
前記出力レベル検出回路が、前記デジタル端子の出力レベルが外部機器の接続されていないときの出力レベルの２分の１以下であることを検出したときに、前記デジタル端子に
外部機器が接続されたと判断するマイクロコンピュータとから構成されることを特徴とする。
【００１５】
請求項４に記載の発明によれば、出力レベル検出回路がデジタル端子の出力レベルが外部機器の接続されていないときの出力レベルの２分の１以下であることを検出したときに、マイクロコンピュータがデジタル端子に外部機器が接続されたと判断することによってデジタル端子に外部機器が接続されたか否かを検知するようになっている。
【００１６】
請求項５に記載の発明は、請求項３又は請求項４に記載のテレビジョン受像機において、前記報知手段は、
前記デジタル端子に外部機器が接続されたと判断したときにその旨を表示する表示部であることを特徴とする。
【００１７】
請求項５に記載の発明によれば、表示部に表示させることによって、デジタル端子に外部機器が接続された旨をユーザに報知するようになっている。
【００１８】
請求項６に記載の発明は、請求項２から請求項５のいずれか一項に記載のテレビジョン受像機において、前記デジタル端子は、
コアキシャル端子であることを特徴とする。
【００１９】
請求項６に記載の発明によれば、デジタル端子としての同軸端子であるコアキシャル端子に外部機器を接続するようになっている。
【発明の効果】
【００２０】
請求項１に記載の発明によれば、コアキシャル端子に外部のスピーカ等の外部機器が接続された場合には、内部スピーカからも音声を出力させるか否かをユーザが任意に選択し、内部スピーカからの音声出力をミュートすることができる。このため、ユーザが内部スピーカから不必要な音声を出力させたくないと思うときは、内部スピーカから音声を出力させないようにすることができ、テレビジョン受像機側の消費電力量を抑えることができる。また、このようにテレビジョン受像機に内蔵された内部スピーカを動作させないことによりスピーカアンプの長寿命化を図ることができるとの効果を奏する。
【００２１】
デジタル端子に外部機器が接続されている場合には、内部スピーカから音声を出力させる必要が無い。そこで、請求項２に記載の発明によれば、内部スピーカからの音声出力にミュートをかけることにより、テレビジョン受像機側の消費電力量を抑えることができるとともに、テレビジョン受像機に内蔵された内部スピーカを動作させないことによりスピーカアンプの長寿命化を図ることができるとの効果を奏する。
【００２２】
請求項３に記載の発明によれば、デジタル端子に外部機器が接続されている場合には報知手段によってその旨を報知させるため、ユーザがデジタル端子に外部機器が接続されたことを認識して、希望する場合だけ内部スピーカからの出力にミュートをかけることができる。これにより、テレビジョン受像機の使用環境やユーザの都合に応じた対応をすることができる。また、ユーザによって内部スピーカからの出力にミュートをかけること選択されたときには、内部スピーカからの音声出力にミュートをかけることにより、テレビジョン受像機側の消費電力量を抑えることができるとともに、テレビジョン受像機に内蔵された内部スピーカを動作させないことによりスピーカアンプの長寿命化を図ることができるとの効果を奏する。
【００２３】
請求項４に記載の発明によれば、デジタル端子の出力レベルが外部機器の接続されていないときの出力レベルの２分の１以下であるときには、デジタル端子に外部機器が接続さ
れたと判断されるので、簡易な手段によってデジタル端子に外部機器が接続されたか否かを検知することができる。これによって、デジタル端子に外部機器が接続されたときは必要に応じて内部スピーカ等、他の音声出力手段からの音声出力にミュートをかけることができ、テレビジョン受像機側の消費電力量を抑えることができるとともに、テレビジョン受像機に内蔵された内部スピーカを動作させないことによりスピーカアンプの長寿命化を図ることができるとの効果を奏する。
【００２４】
請求項５に記載の発明によれば、デジタル端子に外部機器が接続された旨を表示部に表示させるので、ユーザは容易にデジタル端子に外部機器が接続された旨を認識することができる。これにより、ユーザが希望する場合だけ内部スピーカ等、他の音声出力手段からの出力にミュートをかけることができ、テレビジョン受像機の使用環境やユーザの都合に応じた対応をすることができる。また、ユーザによって内部スピーカからの出力にミュートをかけること選択されたときには、内部スピーカからの音声出力にミュートをかけることにより、テレビジョン受像機側の消費電力量を抑えることができるとともに、テレビジョン受像機に内蔵された内部スピーカを動作させないことによりスピーカアンプの長寿命化を図ることができるとの効果を奏する。
【００２５】
請求項６に記載の発明によれば、デジタル端子としての同軸端子であるコアキシャル端子に外部機器を接続することにより、ステレオ音声や５．１ｃｈのサラウンド音声等の臨場感あるクリアな音声を出力ことができる。そしてこの場合に、内部スピーカ等、他の音声出力手段からの音声出力にミュートをかけることができ、テレビジョン受像機側の消費電力量を抑えることができるとともに、テレビジョン受像機に内蔵された内部スピーカを動作させないことによりスピーカアンプの長寿命化を図ることができるとの効果を奏する。
【発明を実施するための最良の形態】
【００２６】
以下、図１から図３を参照しつつ、本発明に係るテレビジョン受像機の第一の実施形態について説明する。ただし、発明の範囲を図示例に限定するものではなく、本発明の要旨を逸脱しない範囲内において種々変更を加え得ることは勿論である。
【００２７】
図１に示すように、本実施形態におけるテレビジョン受像機１は、ＤＶＤプレーヤ２を内蔵したＤＶＤプレーヤ一体型となっている。ＤＶＤプレーヤ２には、図示しないＣＰＵ等を備え、ＤＶＤプレーヤ２の各部の動作を制御するＤＶＤプレーヤ用のマイクロコンピュータ（以下「ＤＶＤマイコン」と称する）３が備えられている。ＤＶＤマイコン３は、ＤＶＤプレーヤ２によって再生されるＤＶＤ音声信号及びＤＶＤ映像信号を出力するようになっている。
【００２８】
また、テレビジョン受像機１には、テレビジョン受像機１の各部の動作を制御する制御部として図示しないＣＰＵ等を備えるテレビジョン用マイクロコンピュータ（以下「ＴＶマイコン」と称する）４が設けられている。ＴＶマイコン４は、各種のプログラムやデータ等を格納する記憶部（図示せず）を備えており、記憶部に格納されたデータを参照しつつ、各種のプログラムに従った処理を実行するようになっている。
【００２９】
前記ＤＶＤマイコン３とＴＶマイコン４とはバス５によって接続され、相互に信号の送受信ができるようになっている。
【００３０】
テレビジョン受像機１は、アンテナ６を介して図示しない放送局からのテレビ信号を受信するようになっており、テレビジョン受像機１には、ＴＶマイコン４からの指示に従って、受信されたテレビ信号の中から所定局の周波数の信号を選択するチューナ部７が設けられている。
【００３１】
ＴＶマイコン４には、チューナ部７によって選択された所定局の周波数のテレビ信号が送られるようになっており、ＴＶマイコン４は、この所定のテレビ信号に基づくテレビ音声信号及びテレビ映像信号を出力するようになっている。
【００３２】
また、テレビジョン受像機１には、ユーザが選局指示やＤＶＤ再生指令等の各種の指示、指令を入力するため入力操作部８が設けられている。入力操作部８は、例えば複数のボタンを備える操作パネル等によって構成され、ユーザがボタンの押下操作等を行うことにより各種の指示、指令を入力するようになっている。また、テレビジョン受像機１には、リモートコントローラ（以下「リモコン」と称する）９から送信される信号を受信するリモコン信号受信部１０が設けられており、リモコン９から赤外線等を用いて送信される各種の指示、指令を受信することができるようになっている。ＴＶマイコン４には、入力操作部８から入力された信号や、リモコン信号受信部１０を介して受信されたリモコン信号等が送られるようになっており、ＴＶマイコン４は、送られた各種の信号に基づいて、各部の制御を行うようになっている。
【００３３】
特に、本実施形態においては、ユーザは、入力操作部８又はリモコン９により後述する内部スピーカ１１からの音声出力をミュートするか否かの指示を入力できるようになっており、前記入力操作部８とリモコン９とによって音声出力のミュートを行うか否かを設定する設定手段が構成されている。
【００３４】
また、テレビジョン受像機１には、ＴＶマイコン４及びＤＶＤマイコン３と接続され、ＴＶマイコン４から送信されるテレビ信号に基づくテレビ音声信号又はＤＶＤマイコン３から送信されるＤＶＤ音声信号に基づいて音声出力を行う内部スピーカ１１が設けられている。ＴＶマイコン４及びＤＶＤマイコン３と内部スピーカ１１との間には、デジタル信号とアナログ信号とを相互に変換可能なデジタル/アナログコンバータ（以下「ＤＡＣ」
と称する）１２と、ＴＶマイコン４及びＤＶＤマイコン３から送信された信号を増幅するスピーカアンプ１３とが設けられている。
【００３５】
さらに、テレビジョン受像機１には、ＴＶマイコン４及びＤＶＤマイコン３と接続され、ＴＶマイコン４から送信されるテレビ信号に基づくテレビ音声信号又はＤＶＤマイコン３から送信されるＤＶＤ音声信号を出力するデジタル端子として同軸端子であるコアキシャル端子１４が設けられている。コアキシャル端子１４は、例えば２ｃｈのステレオの音声信号や、５．１ｃｈの音声信号等を１本のケーブルによって送受信することのできるものであり、コアキシャル端子１４にケーブル等を介して外部のオーディオアンプ１５及び外部スピーカ１６を接続することにより、ステレオ出力や５．１ｃｈサラウンド出力等による音声を鑑賞することが可能となる。ＴＶマイコン４及びＤＶＤマイコン３とコアキシャル端子１４との間には、ＴＶマイコン４及びＤＶＤマイコン３から送信された信号を増幅するオーディオアンプ１７が設けられている。
【００３６】
コアキシャル端子１４には、コアキシャル端子１４から出力される音声信号の出力レベルを検出することによってコアキシャル端子１４に外部機器が接続されているか否かを検出する出力レベル検出回路１８が接続されている。コアキシャル端子１４に外部のオーディオアンプ１５等の外部機器が接続されると、コアキシャル端子１４の出力レベルは分割されてほぼ２分の１となる。出力レベル検出回路１８は、この出力レベルの変化を検出するようになっており、出力レベル検出回路１８は検出結果を電気信号としてＴＶマイコン４に送信するようになっている。
【００３７】
ＴＶマイコン４は出力レベル検出回路１８から送られた検出結果からコアキシャル端子１４に外部機器が接続されているか否かを判断するようになっている。すなわち、例えば
、ＴＶマイコン４の記憶部には、コアキシャル端子１４に何ら外部機器が接続されていない状態の出力レベルデータが格納されており、ＴＶマイコン４は、この記憶部に格納された出力レベルデータを参照しつつ、出力レベル検出回路１８から送られた検出結果との比較対照を行うようになっている。そして、ＴＶマイコン４は、出力レベル検出回路１８によって検出された出力レベルがコアキシャル端子１４に何ら外部機器が接続されていない状態の出力レベルのほぼ２分の１となっている場合にはコアキシャル端子１４に外部機器が接続されていると判断する。本実施形態においては、この出力レベル検出回路１８とＴＶマイコン４とによって接続検知手段が構成されている。
【００３８】
ＴＶマイコン４には、スピーカアンプ１３に対して音声ミュート制御を行う音声ミュート回路１９が接続されており、ＴＶマイコン４は、前記入力操作部８又はリモコン９から内部スピーカ１１からの音声出力にミュートをかけるように入力がされた場合には、音声ミュート回路１９に対してミュート信号を送信するようになっている。音声ミュート回路１９は、ＴＶマイコン４からのミュート信号を受けてスピーカアンプ１３に対して音声ミュート制御を行うようになっている。
【００３９】
音声ミュート回路１９は、例えば、図２に示すように、スイッチング動作によりＴＶマイコン４及びＤＶＤマイコン３から内部スピーカ１１に接続される音声ラインをグランド接続するＮＰＮ形のトランジスタ２０と、ＴＶマイコン４からのミュート信号（ロー）の入力を受けトランジスタ２０の入力を制御するＰＮＰ形のトランジスタ２１を備えている。また、音声ミュート回路１９は、ＴＶマイコン４から送信されるミュート信号を整流するダイオード２２と、トランジスタ２０，２１のベース電流を適正化するための抵抗２３，２４とを備えている。トランジスタ２１の図示しないエミッタ端子にはプラスの電源電圧２５が印加されており、トランジスタ２１はＴＶマイコン４からのミュート信号を受けスイッチング動作し、トランジスタ２０の入力を制御する。例えば、トランジスタ２１のスイッチング動作によりトランジスタ２０にベース電流が流れると、トランジスタ２０は導通し、スピーカアンプ１３から内部スピーカ１１に出力される音声ラインをグランドに引き込み、内部スピーカ１１の音声出力にミュートがかかるようになっている。
【００４０】
なお、音声ミュート回路１９は、スピーカアンプ１３から内部スピーカ１１に出力される音声ラインをグランドに引き込み、音声ミュート制御を行うことのできるものであればよく、その構成は、ここに例示したものに限定されない。例えば、さらに多くの抵抗やコンデンサ等を備えるものを用いてもよい。
【００４１】
また、テレビジョン受像機１には、ＴＶマイコン４及びＤＶＤマイコン３と接続され、ＴＶマイコン４から送信されるテレビ信号に基づくテレビ映像信号又はＤＶＤマイコンから送信されるＤＶＤ映像信号等に基づいて所定の映像等を出力する表示部２６が設けられている。本実施形態において、ＴＶマイコン４は、出力レベル検出回路１８による検出結果からコアキシャル端子１４に外部機器が接続されていると判断した場合には、その旨及び内部スピーカ１１の音声出力にミュートをかけるか否かをユーザに対して問うメッセージを表示部２６に表示させ、表示部２６を報知手段として機能させるようになっている。
【００４２】
また、テレビジョン受像機１には、装置各部に電力を供給する図示しない電源が設けられている。
【００４３】
次に、図３を参照しつつ、本実施形態に係るテレビジョン受像機１の動作について、ＤＶＤプレーヤ２によりＤＶＤを再生する場合を例として説明する。
【００４４】
ユーザが電源をＯＮとして、ＤＶＤプレーヤ２にＤＶＤをセットし、入力操作部８又はリモコン９を操作することによってＤＶＤの再生が開始される（ステップＳ１）。
【００４５】
出力レベル検出回路１８によってコアキシャル端子１４の出力レベルが随時検知され、検出結果がＴＶマイコン４に送信される。ＴＶマイコン４は、出力レベル検出回路１８から送られた検出結果からコアキシャル端子１４の出力レベルがコアキシャル端子１４にオーディオアンプ１５等の外部機器が接続されていない状態の出力レベルが２分の１に低下しているか否かの判断を行う（ステップＳ２）。その結果、出力レベルが２分の１に低下していると判断した場合（ステップＳ２；ＹＥＳ）には、ＴＶマイコン４は、コアキシャル端子１４に外部機器が接続されている旨及び内部スピーカ１１からの音声出力にミュートをかけるか否かを問うメッセージを表示部２６に表示させる（ステップＳ３）。
【００４６】
ユーザは、表示部２６に表示されたメッセージに対して入力操作部８又はリモコン９を操作することにより内部スピーカ１１からの音声出力にミュートをかけるか否かの指示を入力する。入力操作部８又はリモコン９から入力された信号はＴＶマイコン４に送信され、ＴＶマイコン４は音声ミュート指示が入力されたか否かを判断する（ステップＳ４）。ＴＶマイコン４が音声ミュート指示が入力されたと判断すると（ステップＳ４；ＹＥＳ）、ＴＶマイコンは音声ミュート回路１９に対してミュート信号を送信し（ステップＳ５）、音声ミュート回路１９によってスピーカアンプ１３に対する音声ミュート制御が行われる。これにより、内部スピーカ１１からの音声出力にミュートがかかり、コアキシャル端子１４に接続された外部スピーカ１６のみから音声が出力される（ステップＳ６）。なお、コアキシャル端子１４に接続されたオーディオアンプ１５等の電源がＯＦＦとなっている場合には、ユーザが適宜電源をＯＮとすることにより外部スピーカ１６から音声が出力される。
【００４７】
他方、ＴＶマイコン４が音声ミュート指示が入力されていない、又は内部スピーカ１１からの音声出力にミュートをかけない旨の指示が入力されたと判断すると（ステップＳ４；ＮＯ）、ＴＶマイコン４はミュート信号を送信せず、コアキシャル端子１４に接続された外部スピーカ１６と内部スピーカ１１の両方から音声が出力される（ステップＳ７）。
【００４８】
以上に対して、出力レベルに変化がないと判断した場合（ステップＳ２；ＮＯ）は、コアキシャル端子１４に外部スピーカ１６等が接続されていない状態であるので、内部スピーカ１１のみから音声が出力される（ステップＳ８）。
【００４９】
なお、以上はＤＶＤプレーヤ２によりＤＶＤを再生する場合を例として説明したが、テレビ信号に基づいてテレビ音声を出力する場合も同様にコアキシャル端子１４に外部スピーカ１６が接続されているか否かの判断がなされ、内部スピーカ１１からも音声を出力させるか否かをユーザが選択し、必要に応じて内部スピーカ１１からの音声出力にミュートをかけることが可能である。
【００５０】
以上より、本実施形態によれば、コアキシャル端子１４に外部スピーカ１６等の外部機器が接続された場合には、内部スピーカ１１からも音声を出力させるか否かをユーザが任意に選択し、スピーカアンプ１３に対して音声ミュート制御を行うことができる。このため、内部スピーカ１１から不要な音声を出力させないようにすることができ、テレビジョン受像機１側の消費電力量を抑えることができるとともに、テレビジョン受像機１に内蔵された内部スピーカ１１を動作させないことによりスピーカアンプ１３の長寿命化を図ることができる。
【００５１】
なお、本実施形態においては、スピーカアンプ１３に対して音声ミュート制御を行うことによって内部スピーカ１１からの音声出力にミュートをかけるようにしたが、内部スピーカ１１からの音声出力にミュートをかける手段はこれに限定されない。例えば、図４に示すように、ＤＡＣ１２に対して音声ミュート制御を行う音声ミュート回路１９を設けて
、音声ミュート回路１９がＴＶマイコン４からのミュート信号を受けてＤＡＣ１２に対し音声ミュート制御を行うことにより内部スピーカ１１からの音声出力にミュートをかけるようにしてもよい。
【００５２】
また、本実施形態においては、ＤＶＤプレーヤ２を内蔵したＤＶＤプレーヤ一体型のテレビジョン受像機１を例として説明したが、ＤＶＤプレーヤ２の他にビデオテープレコーダ、その他の映像と音声とを再生可能な機器を一体として搭載していてもよい。また、ＤＶＤプレーヤ等を内蔵しない単体のテレビジョン受像機でもよい。
【００５３】
また、本実施形態においては、コアキシャル端子１４を備えるものとしたが、少なくとも外部機器と接続されるデジタル端子と内部スピーカとを備えていれば足り、コアキシャル端子以外のデジタル端子を備えていてもよい。
【００５４】
また、本実施形態においては、接続検知手段として出力レベル検出回路１８を備え、コアキシャル端子１４に外部機器が接続されているか否かをコアキシャル端子１４の出力レベルを検出することで判断するようにしたが、コアキシャル端子１４に外部機器が接続されているか否かの判断を行う接続検知手段はこれに限定されない。例えば、接続検知手段として機械的なスイッチを備え、この機械的なスイッチによってコアキシャル端子１４に外部機器の端子が挿入されているか否かを判断するようにしてもよい。
【００５５】
また、本実施形態においては、映像を放送、再生する際の映像表示画面である表示部２６にコアキシャル端子１４に外部機器が接続されていることを表示させ、ユーザに報知する報知手段として機能させるようにしたが、表示部を映像を放送、再生する際の映像表示画面とは別個に設けるようにしてもよい。また、報知手段は表示部２６に限定されず、音声等によってユーザに報知するようにしてもよい。
【００５６】
また、本実施形態においては、コアキシャル端子１４に外部機器が接続されている場合、内部スピーカ１１からの音声出力をミュートするようにしたが、テレビジョン受像機１に音声出力手段がさらに複数設けられている場合には、外部機器が接続されている音声出力手段以外の全ての音声出力手段について音声出力をミュートするようにしてもよい。
【００５７】
その他、本発明が上記実施の形態に限らず適宜変更可能であるのは勿論である。
【００５８】
次に、図５を参照しつつ、本発明に係るテレビジョン受像機の第二の実施形態について説明する。なお、以下においては、特に第一の実施形態と異なる点について説明する。
【００５９】
本実施形態において、テレビジョン受像機２００は、第一の実施形態及び第二の実施形態と同様に、ＤＶＤプレーヤ２一体型のテレビジョン受像機２００であり、テレビジョン受像機２００には、ＤＶＤプレーヤ２各部の動作を制御するＤＶＤマイコン３とテレビジョン受像機の各部の動作を制御する制御部としてＴＶマイコン４が設けられている。ＤＶＤマイコン３及びＴＶマイコン４は、各種のプログラムやデータ等を格納する記憶部（図示せず）を備えており、記憶部に格納されたデータを参照しつつ、各種のプログラムに従った処理を実行するようになっている。
【００６０】
また、テレビジョン受像機２００は、第一の実施形態及び第二の実施形態と同様に、音声を出力する内部スピーカ１１と、外部機器と接続されるコアキシャル端子１４とを備えている。
【００６１】
コアキシャル端子１４には、コアキシャル端子１４の出力レベルを検出する出力レベル検出回路１８が接続されている。出力レベル検出回路１８は、高耐圧ポート３０を介して
ＤＶＤマイコン３と接続されており、検出結果を電気信号としてＤＶＤマイコン３に送信するようになっている。
【００６２】
ＤＶＤマイコン３は出力レベル検出回路１８から送られた検出結果からコアキシャル端子１４に外部機器が接続されているか否かを判断するようになっている。すなわち、例えば、ＤＶＤマイコン３の記憶部には、コアキシャル端子１４に何ら外部機器が接続されていない状態の出力レベルデータが格納されており、ＤＶＤマイコン３は、この記憶部に格納された出力レベルデータを参照しつつ、出力レベル検出回路１８から送られた検出結果との比較対照を行うようになっている。そして、ＤＶＤマイコン３は、出力レベル検出回路１８によって検出された出力レベルがコアキシャル端子１４に何ら外部機器が接続されていない状態の出力レベルのほぼ２分の１となっている場合にはコアキシャル端子１４に外部機器が接続されていると判断する。本実施形態においては、この出力レベル検出回路１８とＤＶＤマイコン３とによって接続検知手段が構成されている。
【００６３】
ＤＶＤマイコン３及びＴＶマイコン４は、所定の音声信号及び映像信号を出力するようになっており、ＤＶＤ音声信号及びＴＶ音声信号は、所定の音声ラインに沿って内部スピーカ１１及びコアキシャル端子１４に送られるようになっている。また、ＤＶＤマイコン３及びＴＶマイコン４と内部スピーカ１１との間には、ＤＶＤ音声信号及びテレビ音声信号をデジタル/アナログ変換するＤＡＣ１２及び信号を増幅するスピーカアンプ１３が設
けられている。
【００６４】
ＤＶＤマイコン３には、スピーカアンプ１３に対して音声ミュート制御を行う音声ミュート回路１９が接続されている。音声ミュート回路１９は第一実施形態とほぼ同様の構成のものであり、ＤＶＤマイコン３からのミュート信号を受けてスピーカアンプ１３に対し音声ミュート制御を行うようになっている。
【００６５】
なお、その他の構成は、第一実施形態のものと同様であるので、同一箇所には同一の符号を付してその説明を省略する。
【００６６】
次に、本実施形態に係るテレビジョン受像機２００の動作について、ＤＶＤプレーヤ２によりＤＶＤを再生する場合を例として説明する。
【００６７】
ユーザが電源をＯＮとして、ＤＶＤの再生が開始されると、出力レベル検出回路１８によってコアキシャル端子１４の出力レベルが随時検知され、検出結果が高耐圧ポート３０を介してＤＶＤマイコン３に送信される。出力レベル検出回路１８による検出の結果、コアキシャル端子１４の出力レベルがコアキシャル端子１４にオーディオアンプ１５等の外部機器が接続されていない状態の出力レベルの２分の１に低下している場合には、ＤＶＤマイコン３は、コアキシャル端子１４に外部機器が接続されている旨及び内部スピーカ１１からの音声出力にミュートをかけるか否かを問うメッセージを表示部２６に表示させる。
【００６８】
ユーザによって内部スピーカ１１からの音声出力にミュートをかける指示が入力されると、ＤＶＤマイコン３は音声ミュート回路１９に対してミュート信号を送信し、音声ミュート回路１９によってスピーカアンプ１３に対する音声ミュート制御が行われる。これにより、内部スピーカ１１からの音声出力にミュートがかかり、コアキシャル端子１４に接続された外部スピーカ１６のみから音声が出力される。
【００６９】
他方、ユーザによって音声ミュート指示が入力されていない、又は内部スピーカ１１からの音声出力にミュートをかけない旨の指示が入力されると、ＤＶＤマイコン３はミュート信号を送信せず、コアキシャル端子１４に接続された外部スピーカ１６と内部スピーカ
１１の両方から音声が出力される。
【００７０】
以上に対して、出力レベルに変化がない場合は、コアキシャル端子１４には外部スピーカ１６が接続されていない状態なので、内部スピーカ１１のみから音声が出力される。
【００７１】
なお、以上はＤＶＤプレーヤ２によりＤＶＤを再生する場合を例として説明したが、テレビ信号に基づいてテレビ音声を出力する場合も同様であることは第一実施形態と同様である。
【００７２】
以上より、本実施形態によれば、コアキシャル端子１４に外部スピーカ１６等の外部機器が接続された場合には、内部スピーカ１１からも音声を出力させるか否かをユーザが任意に選択し、ＤＶＤマイコン３によって音声ミュート回路１９にミュート信号が送られ、スピーカアンプ１３に対して音声ミュート制御を行うことができる。このため、内部スピーカ１１から不要な音声を出力させないようにすることができ、テレビジョン受像機２００側の消費電力量を抑えることができるとともに、テレビジョン受像機２００に内蔵された内部スピーカ１１を動作させないことによりスピーカアンプの長寿命化を図ることができる。
【００７３】
なお、本実施形態においては、スピーカアンプ１３に対して音声ミュート制御を行うことによって内部スピーカ１１からの音声出力にミュートをかけるようにしたが、ＤＡＣ１２に対して音声ミュート制御を行うことによって内部スピーカ１１からの音声出力にミュートをかけるようにしてもよい。
【００７４】
その他、本発明が本実施の形態に限られないことは、第一の実施形態と同様である。
【００７５】
次に、本発明に係るテレビジョン受像機の第三の実施形態について説明する。なお、以下においては、特に第一の実施形態及び第二の実施形態と異なる点について説明する。
【００７６】
本実施形態において、テレビジョン受像機は、第一の実施形態及び第二の実施形態と同様に、ＤＶＤプレーヤ２一体型のテレビジョン受像機であり、テレビジョン受像機には、ＤＶＤプレーヤ２各部の動作を制御するＤＶＤマイコン３とテレビジョン受像機の各部の動作を制御する制御部としてＴＶマイコン４が設けられている。ＴＶマイコン４は、各種のプログラムやデータ等を格納する記憶部（図示せず）を備えており、記憶部に格納されたデータを参照しつつ、各種のプログラムに従った処理を実行するようになっている。
【００７７】
また、テレビジョン受像機は、第一の実施形態及び第二の実施形態と同様に、音声を出力する音声出力手段として内部スピーカ１１と、コアキシャル端子１４とを備えている。
【００７８】
コアキシャル端子１４には、コアキシャル端子１４の出力レベルを検出する出力レベル検出回路１８が接続されている。出力レベル検出回路１８は、ＴＶマイコン４と接続されており、検出結果を電気信号としてＴＶマイコン４に送信するようになっている。
【００７９】
ＤＶＤマイコン３及びＴＶマイコン４は、所定の音声信号及び映像信号を出力するようになっており、所定の音声ラインに沿って内部スピーカ１１及びコアキシャル端子１４に送られるようになっている。ＤＶＤマイコン３及びＴＶマイコン４と内部スピーカ１１との間には、ＤＶＤ音声信号及びテレビ音声信号をデジタル/アナログ変換するＤＡＣ１２
及び信号を増幅するスピーカアンプ１３が設けられている。
【００８０】
ＴＶマイコン４には、スピーカアンプ１３に対して音声ミュート制御を行う音声ミュート回路１９が接続されている。音声ミュート回路１９は第一実施形態及び第二実施形態と
ほぼ同様の構成のものであり、ＴＶマイコン４からのミュート信号を受けてスピーカアンプ１３に対し音声ミュート制御を行うようになっている。
【００８１】
なお、その他の構成は、第一実施形態及び第二実施形態のものと同様であるので、同一箇所には同一の符号を付してその説明を省略する。
【００８２】
次に、図６を参照しつつ、本実施形態に係るテレビジョン受像機の動作について、ＤＶＤプレーヤ２によりＤＶＤを再生する場合を例として説明する。
【００８３】
ユーザが電源をＯＮとして、ＤＶＤプレーヤ２にＤＶＤをセットし、入力操作部８又はリモコン９を操作することによってＤＶＤの再生が開始される（ステップＳ１１）。
【００８４】
出力レベル検出回路１８によってコアキシャル端子１４の出力レベルが随時検知され、検出結果がＴＶマイコン４に送信される。ＴＶマイコン４は、出力レベル検出回路１８から送られた検出結果からコアキシャル端子１４の出力レベルがコアキシャル端子１４にオーディオアンプ１５等の外部機器が接続されていない状態の出力レベルが２分の１に低下しているか否かの判断を行う（ステップＳ１２）。その結果、出力レベルが２分の１に低下していると判断した場合（ステップＳ１２；ＹＥＳ）には、ＴＶマイコン４は、音声ミュート回路１９に対してミュート信号を送信し（ステップＳ１３）、音声ミュート回路１９によってスピーカアンプ１３に対する音声ミュート制御が行われる。これにより、内部スピーカ１１からの音声出力にミュートがかかり、コアキシャル端子１４に接続された外部スピーカ１６のみから音声が出力される（ステップＳ１４）。
【００８５】
他方、ＴＶマイコン４が、出力レベルに変化がないと判断した場合（ステップＳ１２；ＮＯ）は、コアキシャル端子１４に外部スピーカ１６が接続されていない状態であるため、内部スピーカ１１のみから音声が出力される（ステップＳ１５）。
【００８６】
なお、以上はＤＶＤプレーヤ２によりＤＶＤを再生する場合を例として説明したが、テレビ信号に基づいてテレビ音声を出力する場合も同様であることは第一実施形態及び第二実施形態と同様である。
【００８７】
以上より、本実施形態によれば、テレビジョン受像機がコアキシャル端子１４に外部スピーカ１６等の外部機器が接続されていることが多いような使用環境にある場合に、内部スピーカ１１からも音声を出力させるか否かをその都度ユーザに問い合わせることなく内部スピーカ１１に対する音声ミュート制御を行うことができる。このため、コアキシャル端子１４に接続された外部スピーカ１６で音声を鑑賞することが多い場合に、ユーザの手間を省いて内部スピーカ１１から不要な音声を出力させないようにすることができ、テレビジョン受像機側の消費電力量を抑えることができるとともに、テレビジョン受像機に内蔵された内部スピーカ１１を動作させないことによりスピーカアンプ１３の長寿命化を図ることができる。
【００８８】
なお、本実施形態においては、スピーカアンプ１３に対して音声ミュート制御を行うことによって内部スピーカ１１からの音声出力にミュートをかけるようにしたが、ＤＡＣ１２に対して音声ミュート制御を行うことによって内部スピーカ１１からの音声出力にミュートをかけるようにしてもよい。
【００８９】
また、本実施形態においては、コアキシャル端子１４に外部スピーカ１６等の外部機器が接続されているか否かの判断、及び音声ミュート回路１９に対するミュート信号の送信をＴＶマイコン４が行うようにしたが、第二の実施形態のように、ＤＶＤマイコン３によって音声ミュート制御を行わせるようにしてもよい。この場合には、第二の実施形態の場
合と同様、出力レベル検出回路１８を高耐圧ポートを介してＤＶＤマイコン３に接続するようにする。
【００９０】
また、本実施形態のようにコアキシャル端子１４に外部スピーカ１６等の外部機器が接続されている場合にはユーザに問い合わせることなく内部スピーカ１１に対してミュートをかけるようにするか、第一実施形態及び第二実施形態のように、コアキシャル端子１４に外部スピーカ１６等の外部機器が接続されている場合には内部スピーカ１１に対してミュートをかけるか否かをユーザに問い合わせるようにするかは、テレビジョン受像機の属性として予め決定されていてもよいし、ユーザが任意に設定できるようにしてもよい。
【００９１】
その他、本発明が本実施の形態に限られないことは、第一の実施形態及び第二実施形態と同様である。
【図面の簡単な説明】
【００９２】
【図１】本発明の第一の実施形態におけるテレビジョン受像機の構成を示したブロック構成図である。
【図２】本発明に係るテレビジョン受像機に適用される音声ミュート回路１９の一例を示した回路図である。
【図３】本発明の第一の実施形態におけるテレビジョン受像機の動作を示すフローチャートである。
【図４】本発明の第一の実施形態におけるテレビジョン受像機の変形例の構成を示したブロック構成図である。
【図５】本発明の第二の実施形態におけるテレビジョン受像機の構成を示したブロック構成図である。
【図６】本発明の第三の実施形態におけるテレビジョン受像機の動作を示すフローチャートである。
【符号の説明】
【００９３】
１  テレビジョン受像機
３  ＤＶＤマイコン
４  ＴＶマイコン
８  入力操作部
９  リモコン
１１  内部スピーカ
１２  ＤＡＣ
１３  スピーカアンプ
１４  コアキシャル端子
１６  外部スピーカ
１８  出力検出回路
１９  音声ミュート回路
２０，２１  トランジスタ
２６  表示部
【図１】
2006217117.tif 000003
【図２】
2006217117.tif 000004
【図３】
2006217117.tif 000005
【図４】
2006217117.tif 000006
【図５】
2006217117.tif 000007
【図６】
2006217117.tif 000008